(57)【要約】      （修正有）【課題】使用する各印鑑を個別に使い勝手よく身近に安定的に保持しておくことができ、使用済み印鑑を元の保持位置に戻した際に付着する朱肉痕を事後に容易に拭い去ることもできる朱肉用具を提供する。【解決手段】朱肉１３を容器１４内に収納させてなる朱肉体１２と、上蓋２２と、これら朱肉体１２と上蓋２２との間に介在させてその全体が相互に対面合致するように着脱自在に組み合わせるべく配置される中蓋３２とで構成され、中蓋３２は、その仕切り板部３３に印鑑４１の挿通が自在な複数の穿設孔３４を備え、対面合致させた中蓋３２と上蓋２２とを朱肉体１２側から離脱させてその天地を逆にして配置した際に露呈する仕切り板部３３の各穿設孔３４と、その下方に位置する上蓋２２側の内面側とを介することで印鑑４１の個別保持を自在とした。【選択図】図４
0003217254.tif 000002
【実用新案登録請求の範囲】
【請求項１】
朱肉を容器内に収納させてなる朱肉体と、上蓋と、これら朱肉体と上蓋との間に介在させてその全体が相互に対面合致するように着脱自在に組み合わせるべく配置される中蓋とで構成され、
該中蓋は、その仕切り板部に印鑑の個別挿通が自在な複数の穿設孔を備え、
対面合致させた前記中蓋と前記上蓋とを前記朱肉体側から離脱させてその天地を逆にして配置した際に露呈する前記仕切り板部の各穿設孔と、その下方に位置する前記上蓋の内面側とを介することで前記印鑑の個別保持を自在としたことを特徴とする朱肉用具。
【請求項２】
前記容器と前記中蓋および該中蓋と前記上蓋とは、それぞれの相互間に螺合構造または嵌合構造を付与することで着脱自在とした請求項１に記載の朱肉用具。
【請求項３】
前記前記仕切り板部が備える複数の前記穿設孔のそれぞれは、前記印鑑の個別太さとの関係で定まる適宜の異なる内径を有する請求項１または２に記載の朱肉用具。
【請求項４】
前記上蓋の外面側には、適宜の絵柄模様が付された請求項１ないし３のいずれかに記載の朱肉用具。
【考案の詳細な説明】
【技術分野】
【０００１】
本考案は、不動産取引やその他の商取引において当事者が契約書を含む各種書面に捺印する際に使用するそれぞれの印鑑を個別に使い勝手よく身近に安定的に保持させておくことができるほか、捺印後の使用済み印鑑を印面を下にして元の保持位置に戻した際に付着する朱肉痕を事後に容易に拭い去ることもできる朱肉用具に関する技術である。
【背景技術】
【０００２】
不動産取引やその他の重要な商取引の場においては、当事者間の合意の証として契約書を含む何らかの書面を残すのが一般的である。しかも、契約締結時には、各当事者が保有する自己の印鑑を契約書を含む各種の書面の所定位置に各別に捺印する必要があるため、当事者の人数によっては契約時等の捺印の場に２本以上の複数本の印鑑が用意されることもある。
【０００３】
この場合、通常は、当事者である銘々が用意したそれぞれの印鑑は、立会人や仲介人の手元に集め置かれ、合意に達した時点で契約書等の書面の必要箇所に個別に捺印することで、合意が成立することになる。
【０００４】
したがって、このように複数本の印鑑が用いられる場合には、その数が増えるにしたがいどの印鑑が誰のものであるのかが分かりづらくなるため、その確認に手間取ってそれだけ捺印作業も繁雑になってしまう不具合があった。
【０００５】
一方、契約締結時に複数本の印鑑を要領よく配置して使用する際の捺印作業を迅速化する上で好適であると思われる従来技術としては、例えば特許文献１に示す「印鑑が入る穴の開いた朱肉」や特許文献２に示す「朱肉内蔵した印鑑立て具」が既に提案されている。
【先行技術文献】
【特許文献】
【０００６】
【特許文献１】実開平５−７２４５５号公報
【特許文献２】実開昭６２−１２３９６７号公報
【０００７】
すなわち、特許文献１には、朱肉の上蓋の天板面に印鑑の太さに応じた複数の穴がそれぞれ穴蓋付きの状態で設けられており、穴から穴蓋をまず取り去った上で、今回使用する印鑑を当該穴に差し込んで朱肉面に印鑑の印面を押し当ててこれに朱肉を付着させて契約書等の書面の必要箇所に捺印することで使用することができる「印鑑が入る穴の開いた朱肉」が開示されている。
【０００８】
また、特許文献２には、朱肉容器と、複数の印鑑孔を備えて朱肉容器に嵌着される中蓋と、該中蓋を含む容器を覆う上蓋とを備え、それぞれの印鑑孔に対応する印鑑を各別に差し込んでその印面を朱肉面に軽接触させた状態のもとで上蓋で覆っておき、使用時に上蓋を外して必要な印鑑を取り出して契約書等の書面の必要箇所に捺印することで使用することができる「朱肉内蔵した印鑑立て具」が開示されている。
【考案の概要】
【考案が解決しようとする課題】
【０００９】
しかし、特許文献１の「印鑑が入る穴の開いた朱肉」による場合、印鑑不使用時の穴は、ゴミの侵入を防ぐために穴蓋で塞いでおかなければならない煩雑さがあるばかりでなく、複数個の穴蓋を別途用意しなければならず、それだけ全体コストを押し上げたり、印鑑使用時に穴から外した穴蓋が紛失しないように特別の配慮を要するなどの不都合があった。
【００１０】
また、特許文献２の「朱肉内蔵した印鑑立て具」による場合、不使用時における各印鑑は、上蓋で覆われた容器内の朱肉上に常に立て置きされて収容される結果、全体の縦サイズがそれだけ座高の高いものとなって仕舞い勝手が悪くなるほか、部材コストもそれだけ高くなってしまう不具合もあった。
【００１１】
本考案は、従来技術にみられた上記課題に鑑みてなされたものであり、契約書等の書面に捺印する際に使用する各印鑑を個別に使い勝手よく身近に安定的に保持させておくことができるほか、捺印後の使用済み印鑑を印面を下にして元の保持位置に戻した際に付着する朱肉痕を事後に容易に拭い去ることもできる朱肉用具を提供することをその目的とする。
【課題を解決するための手段】
【００１２】
本考案は、上記目的を達成すべくなされたものであり、朱肉を容器内に収納させてなる朱肉体と、上蓋と、これら朱肉体と上蓋との間に介在させてその全体が相互に対面合致するように着脱自在に組み合わせるべく配置される中蓋とで構成され、該中蓋は、その仕切り板部に印鑑の個別挿通が自在な複数の穿設孔を備え、対面合致させた前記中蓋と前記上蓋とを前記朱肉体側から離脱させてその天地を逆にして配置した際に露呈する前記仕切り板部の各穿設孔と、その下方に位置する前記上蓋側の内面とを介することで前記印鑑の個別保持を自在としたことを最も主要な特徴とする。
【００１３】
この場合、前記容器と前記中蓋および該中蓋と前記上蓋とは、それぞれの相互間に螺合構造または嵌合構造を付与することで着脱自在とするのが望ましい。また、前記仕切り板部が備える複数の前記穿設孔のそれぞれは、前記印鑑の個別太さとの関係で定まる適宜の異なる内径を有するものであることが望ましい。さらに、前記上蓋の外面側には、適宜の絵柄模様を付しておくこともできる。
【考案の効果】
【００１４】
請求項１に係る考案によれば、印鑑不使用時には、簡単な構造からなる朱肉体と中蓋と上蓋との全体が相互に対面合致するように組み合わされた座高が低いコンパクトな状態としておくことができるようにしておくことで、省スペース化やコストの低減化に有効に寄与させることができる。
【００１５】
また、印鑑使用時には、組み合わされた中蓋と上蓋とを朱肉体側から離脱させてその天地を逆にして机上等に載置することで直ちに中蓋が備える各穿設孔を露呈させることができる。したがって、各印鑑は、これらの穿設孔と上蓋側の内面とを介することで各穿設孔に個別に挿入させた印鑑を個別に立ち姿状に安定的に保持させておくことができるので、転動させて机上に朱肉を付着させたりすることなく必要な印鑑を誤りなく取り出して使い勝手よく使用することができる。
【００１６】
しかも、穿設孔に印鑑を挿入して保持させておく必要がなくなった際には、上蓋と中蓋とを引き離すことで、上蓋側の内面を露呈させることができるので、使用後の印鑑を保持させた際に印面側から該内面側に付着する朱肉痕を事後的に簡単に拭い取ることができる。
【００１７】
請求項２に係る考案によれば、容器と中蓋および該中蓋と上蓋とのそれぞれは、相互間に螺合構造または嵌合構造を付与することで着脱自在に配置することができるので、印鑑不使用におけるその全体は、一体的に対面合致させた状態のもとで安定的に持ち運ぶことができる。また、印鑑使用時には、容器と中蓋との間の螺合関係や嵌合関係を解消することで、朱肉体側から中蓋と上蓋とを引き離すことができる。さらには、中蓋と上蓋とは、相互の螺合関係や嵌合関係を解消することで簡単に引き離すことができるので、上蓋側の内面に付着している朱肉痕を容易に拭い去ることができる。
【００１８】
請求項３に係る考案によれば、仕切り板部が備える複数の穿設孔のそれぞれは、印鑑の個別太さとの関係で定まる適宜の異なる内径を有しているので、印鑑は、その太さに応じた最適な穿設孔を選択してより安定的に挿入保持させることができる。
【００１９】
請求項４に係る考案によれば、上蓋側の外面には、適宜の絵柄模様が付されているので、該絵柄模様に応じた装飾的効果が得られるほか、該装飾的効果により契約締結前における場の雰囲気を和らげて当事者の心を和ませる一助とすることもできる。
【図面の簡単な説明】
【００２０】
【図１】本考案の一例についての全体斜視図。
【図２】図１におけるＡ−Ａ線矢視方向での縦断面図。
【図３】図１に示す例についての分解斜視図。
【図４】図１に示す例についての印鑑使用時における状態説明図。
【図５】他例についての図４に対応させた印鑑使用時における状態説明図。
【考案を実施するための形態】
【００２１】
図１は、本考案の一例を示す全体斜視図を、図２は、図１におけるＡ−Ａ線矢視方向での縦断面図を、図３は、図１に示す例についての分解斜視図をそれぞれ示す。これらの図によれば、朱肉用具１１の全体は、朱肉１３を合成樹脂材等の適宜素材からなる容器１４内に収納させてなる朱肉体１２と、合成樹脂材等の適宜素材からなる上蓋２２と、これら朱肉体１２と上蓋２２との間に介在させてその全体が相互に対面合致するように着脱自在に組み合わせるべく配置される合成樹脂材等の適宜素材からなる中蓋３２とで構成されている。
【００２２】
これらのうち、朱肉体１２を構成する容器１４は、例えば直径９ｃｍ等の適宜面サイズの平面視円形を呈する底板部１５と、該底板部１５の周縁部１５ａから立設された適宜縦寸の周壁部１６とからなり、これら底板部１５と周壁部１６とで囲繞される空間内には朱肉１３が収容されている。また、周壁部１６の上縁部１６ａには、雄ねじ部１７が刻入されている。
【００２３】
上蓋２２は、最大径が底板部１５の最大径と略一致する平面視円形を呈する天板部２３と、該天板部２３の周縁部２３ａから垂設された適宜縦寸の周壁部２４とからなり、該周壁部２４の下縁部２４ａには、雌ねじ部２５が刻入されている。なお、上蓋２２における天板部２３の外面２２ａには、好みに応じて適宜の絵柄模様（図示せず）を描示したり刻入しておくこともできる。
【００２４】
一方、中蓋３２は、最大径が底板部１５や天板部２３の最大径と略一致する平面視円形を呈する仕切り板部３３と、該仕切り板部３３の周縁部３３ａから垂設された適宜縦寸の周壁部３５とからなり、該周壁部３５の上縁部３５ａには、上蓋２２の周壁部２４の雌ねじ部２５との螺合が自在な雄ねじ部３６が、周壁部３５の下縁部３５ｂには、朱肉体１２を構成する容器１４における周壁部１６の雄ねじ部１７との螺合が自在な雌ねじ部３７がそれぞれ刻入されている。
【００２５】
また、仕切り板部３３の適宜位置には、同径や径を異にする複数本の印鑑４１の各別での挿通が自在な内径を有する複数の穿設孔３４、例えば図４および図５に示されているように実印３４ａと銀行印３４ｂと認め印３４ｃと訂正印３４ｄとの別に挿通自在な複数の穿設孔３４が設けられている。
【００２６】
このため、中蓋３２を介して朱肉体１１と上蓋２２とを対面合致させて一体的に螺合配置される朱肉用具１１は、上蓋２２と中蓋３２とを螺合させた状態のもとで朱肉体１２との間の螺合状態を解消して離脱させた上で、これら上蓋２２と中蓋３２とを図４および図５に示すようにその天地を逆にして配置した際には、中蓋３２における仕切り板部３３が備える各穿設孔３４を露呈させた上で、これらの穿設孔３４とその下方に位置する上蓋２２側の内面２２ｂ側とを介することで印鑑４１を個別保持させることができることになる。
【００２７】
次に、上記構成からなる本考案の作用・効果を図示例に基づいて説明すれば、不使用時における朱肉用具１１は、図１および図２に示すように中蓋３２を介して朱肉体１２と上蓋２２とがそれぞれの対応部位を螺合させて一体的に組み合わされた状態のもとで、机上等に載置されたり、引き出し内に保管されることになる。
【００２８】
すなわち、不使用時における朱肉用具１１は、朱肉体１２を構成する容器１４の雄ねじ部１７と中蓋３２の雌ねじ部３７とのほか、中蓋３２の雄ねじ部３６と上蓋２２の雌ねじ部２５とをそれぞれ螺合させることで、その全体を一体的に組み合わせて対面合致させることができる。
【００２９】
一方、使用時には、相互に螺合状態にある上蓋２２と中蓋３２とを、朱肉体１２側との螺合関係を解消して引き離した上で、これら一体的に組み合わされている上蓋２２と中蓋３２とを図４および図５に示すようにその天地を逆にして朱肉体１２とは別体となって机上等に配置される。このとき、中蓋３２における仕切り板部３３が備える各穿設孔３４は、最上面に位置して露呈されることになる。
【００３０】
このため、各印鑑４１は、これらの穿設孔３４とその下方に位置する上蓋２２における天板部２３の内面２３ｂとを介することで各別に保持させることができることになる。
【００３１】
つまり、本考案によれば、印鑑不使用時には、簡単な構造からなる朱肉体１２と中蓋３２と上蓋２２との全体が相互に対面合致するように組み合わされた座高が低いコンパクトな状態としておくこととで、省スペース化やコストの低減化に有効に寄与させることができる。
【００３２】
また、印鑑使用時には、組み合わされた中蓋３２と上蓋２２とを朱肉体１２側から離脱させて図４および図５に示すようにその天地を逆にして机上等に載置することで直ちに中蓋３２が備える各穿設孔３４を露呈させることができる。したがって、各印鑑４１は、これらの穿設孔３４と上蓋２２側の内面２２ｂとを介することで各穿設孔３４に個別に挿入させた印鑑４１（４１ａ〜４１ｄ）を個別に立ち姿状に安定的に保持させておくことができるので、転動させて机上に印面に付着している朱肉痕を転着させたりすることなく必要な印鑑４１を誤りなく取り出して使い勝手よく使用することができる。
【００３３】
しかも、穿設孔３４に印鑑４１を挿入して保持させておく必要がなくなった際には、上蓋２２と中蓋３２との間の螺合関係を解消して引き離すことで、上蓋２２側の内面２２ｂを露呈させることができるので、使用後の印鑑４１を保持させた際に印面側から該内面２２ｂ側に付着する朱肉痕を事後的に簡単に拭い取ることができる。
【００３４】
また、朱肉体１２における容器１４と中蓋３２および該中蓋３２と上蓋２２とのそれぞれは、相互間に螺合構造を付与することで着脱自在に配置することができるので、印鑑不使用におけるその全体は、一体的に対面合致させた状態のもとで安定的に持ち運ぶことができる。また、印鑑使用時には、容器１４と中蓋３２との間の螺合関係を解消することで、朱肉体１２側から中蓋３２と上蓋２２とを引き離すことができる。さらには、中蓋３２と上蓋２２とは、相互の螺合関係を解消することで簡単に引き離すことができるので、上蓋２２側の内面２２ｂ側に付着している朱肉痕を容易に拭い去ることができる。
【００３５】
さらに、仕切り板部３３が備える複数の穿設孔３４のそれぞれが印鑑４１の太さとの関係で定まる適宜の異なる内径を有している場合には、各印鑑４１をそれぞれの太さに応じた最適な穿設孔３４を選択してより安定的に挿入保持させることができる。
【００３６】
さらに、上蓋２２側の外面２２ａに適宜の絵柄模様が付されている場合には、該絵柄模様に応じた装飾的効果が得られるほか、該装飾的効果により契約締結前における場の雰囲気を和らげて当事者の心を和ませる一助とすることもできる。
【００３７】
以上は、本考案を図示例に基づいて説明したものであり、その具体的な内容はこれ限定されるものではない。例えば、朱肉体１２を構成する容器１４と上蓋２２と中蓋３２とのそれぞれは、図示例のように平面視円形を呈するものとはせず、平面視形状が楕円形や長円形のほか、四角形や菱形や五角形などの多角形を呈すものとすることもできる。そして、このように平面視円形以外の形状を呈する場合には、朱肉体１２を構成する容器１４と上蓋２２と中蓋３２とにおけるそれぞれの相手部材との当接部位に公知の嵌合構造、例えば容器１４の雄ねじ部１７と中蓋の雌ねじ部３７とのそれぞれを相互に嵌まり合う図示しない段差部として、上蓋２２の雌ねじ部２５と中蓋３２の雄ねじ部３６とのそれぞれを相互に嵌まり合う図示しない段差部として形成するなどして嵌合させることで、朱肉用具１１としての一体化を図ることになる。なお、朱肉体１２を構成する容器１４と上蓋２２と中蓋３２とのそれぞれが図示例のように平面視円形を呈する場合においても、螺合構造を付与することなく、公知の嵌合構造を付与して形成することもできる。
【符号の説明】
【００３８】
１１  朱肉用具
１２  朱肉体
１３  朱肉
１４  容器
１５  底板部
１５ａ  周縁部
１６  周壁部
１６ａ  上縁部
１７  雄ねじ部
２２  上蓋
２２ａ  外面
２２ｂ  内面
２３  天板部
２４  周壁部
２４ａ  下縁部
２５  雌ねじ部
３２  中蓋
３３  仕切り板部
３３ａ  周縁部
３４  穿設孔
３５  周壁部
３５ａ  上縁部
３５ｂ  下縁部
３６  雄ねじ部
３７  雌ねじ部
４１  印鑑
４１ａ  実印
４１ｂ  銀行印
４１ｃ  認め印
４１ｄ  訂正印
【図１】
0003217254.tif 000003
【図２】
0003217254.tif 000004
【図３】
0003217254.tif 000005
【図４】
0003217254.tif 000006
【図５】
0003217254.tif 000007